Podtech/llm-jp-corpus-v4-ja_patent huggingface dataset:
【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】  早期破水（ＰＲＯＭ）を治療するための装置であって、該装置を操作するための近位端、患者の体内へ挿入するための遠位端、及び子宮壁、羊膜及び近位子宮頚部のうち少なくとも１つによって縁取られた治療空間に流動性の材料を輸送するのに適した装置の遠位端で開口する少なくとも１つの導管を含み、該スペースの近部に液圧シールが少なくとも部分的に形成される、前記装置。
【請求項２】  さらに
重合化の電磁放射又はその他の重合活性化剤の供給源；
プライマーの注入用の第二の導管；
吸引又は洗浄によって過剰のプライマーを除去するチャネルであって、プライマー適用チャネルと同一であり得るチャネル；
内視鏡又は子宮鏡であり得る視覚化装置；
部分的に又は完全に予め形成した障壁装置；及び
例えば超音波によって器具の位置を確認することを許容する指標、
から選択される少なくとも１つの追加要素を含む、請求項１の装置。
【請求項３】  水圧障壁の形成中に、適用した材料の逆流を防ぎ、又は羊水の流出を止める子宮頚部の一時的閉塞用の１つ又はそれ以上の装置をさらに含む、請求項１の装置。
【請求項４】  該一時的閉塞装置が膨脹式バルーン、機械的閉塞装置、及び膨張可能な装置のうち１つ又はそれ以上から選択される、請求項３の装置。
【請求項５】  さらに遠位子宮内に経膣的に挿入するのに適合した子宮頚管スリーブ（ｓｌｅｅｖｅ）を含む、請求項１の装置。
【請求項６】  さらに経腹的切開を通して作成される通路の内壁を覆うための鞘を含む、請求項１の装置。
【請求項７】  流動性の材料を患者の羊膜又は妊娠患者の子宮壁若しくは子宮頚部に適用すること、及び該流動性の材料を流動性でなくすることを含む、患者の羊膜又は妊娠患者の子宮壁若しくは子宮頚部に治療処置を提供するための方法に使用する薬剤の製造のための、流動性の材料の使用。
【請求項８】  流動性の材料を患者の羊膜又は妊娠患者の子宮壁又は子宮頚部に適用すること、及び該流動性の材料を流動性でなくすること、それによって羊水を保持する本質的に完全なシールを提供することによって、患者の羊膜又は妊娠患者の子宮壁又は子宮頚部を治療するための方法において使用する薬剤の製造のための流動性の材料の使用。
【請求項９】  子宮頚部、子宮壁及び羊膜のうち少なくとも１つに外科的に接近し、流動性の材料を子宮頚部、子宮壁及び羊膜のうち少なくとも１つに適用すること、及び流動性の材料を流動性でなくすることによって、患者の子宮頚部、子宮壁及び羊膜のうち少なくとも１つを治療するための方法において使用する薬剤の製造のための流動性の材料の使用。
【請求項１０】  治療装置を患者の膣に導入すること、合成の流動性の材料及び合成の流動性ハイドロゲルを子宮頚部、子宮壁及び羊膜のうち少なくとも１つ適用すること、及び合成の流動性の材料及び合成の流動性ハイドロゲルをシールを形成するために流動性でなくすることによって、患者の子宮頚部、子宮壁及び羊膜のうち少なくとも１つを治療するための方法において使用する薬剤の製造のための流動性の材料の使用。
【請求項１１】  生物学的に適合可能な重合体及びハイドロゲルの少なくとも１つを含む少なくとも予め形成した栓を患者の子宮頚部に挿入してシールを形成することによって患者の子宮頚部を治療するための方法において使用する薬剤の製造のための流動性の材料の使用。
【請求項１２】  患者の子宮壁、羊膜、又は子宮頚部の処置部位に経皮的に接近すること、及び該処置部位を治療的に処置することによって、患者の子宮壁、羊膜、又は子宮頚部の措置部位を経皮的に治療するための方法において使用する薬剤の製造のための流動性の材料の使用。
【請求項１３】  処置空間に層を形成するためにゲル化材料を染込ませ、ここで前記処置空間は羊膜、子宮頚部及び子宮壁のうちの１つ又はそれ以上によって縁取られており、該材料をハイドロゲルを形成するようにし、それによって羊水を保持する液圧シールを提供することによって、妊娠の早期破水（ＰＲＯＭ）を治療するための方法において使用する薬剤の製造のためのゲル化材料の使用。
【請求項１４】  ＰＲＯＭを治療するための装置であって、ここで該装置は装置の操作用の近位端、患者の体内へ挿入するための遠位端、及び少なくとも子宮壁、羊膜、及び近位子宮頚部の２つ又はそれ以上によって縁取られた処理空間にゲル化材料を輸送するために適した１つの導管を含む、前記装置。
【請求項１５】  さらに
重合化の電磁放射又はその他の活性化剤の供給源；
プライマー挿入用の第二の導管；
過剰のプライマーを吸引又は洗浄によって除去するためのチャネルであって、第一のプライマー適用チャネルと同一であってよいのもの；
内視鏡又は子宮鏡、又はその他の視覚化装置；及び
例えば超音波によって器具の位置を確認することを許容する指標、
の１つ又はそれ以上を含む、請求項１４の装置。
【請求項１６】  さらにゲル障壁の形成中に材料の逆流を防ぎ、又は羊水の流出を止めるための一時的な子宮頚部の閉塞に適用する、膨脹式バルーン、機械的な閉塞装置、及び膨らませられる装置の１つ又はそれ以上を含む、請求項１４の装置。
【請求項１７】  さらに遠位子宮頚部に経膣的に挿入するために適用する子宮頚部スリーブを含む、請求項１４の装置。
【請求項１８】  さらに経腹的な切開によって生じる通路の内壁を覆う鞘を含む、請求項１４の装置。
【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  堆肥化容器（１）または下水システムの一部を構成する下水管に連結される便器であって、座部（１１）と、座部に適合された蓋部（１２）と、座部を支持する中空の支持体（１３）と、容器（１）または下水管に向けて糞便物が通過する、支持体（１３）内のダクトとを備え、前記ダクトは管状ドラム（１４）によって構成されることと、ドラムの上端が座部（１１）に連結されていることと、ドラムの後壁が、垂直方向に対して角度（α）を成すように、座部から下方向に後方に傾斜していることとを特徴とする便器。
【請求項２】  ドラム（１４）の後壁の傾斜は、ドラムの上側開口部の境界縁上の最後方の点（Ａ）が、本質的にドラムの下側開口部の中心（Ｂ）の真上にくるような傾斜であることを特徴とする請求項１に記載の便器。
【請求項３】  前記角度（α）は、５〜２５°の範囲であることを特徴とする請求項１または２に記載の便器。
【請求項４】  前記角度（α）は、１０°であることを特徴とする請求項３に記載の便器。
【請求項５】  ダクトの上部に配置され、ダクトの内壁に対して洗浄用ウォータージェットを指向するように適合された多数のノズル（２８）を特徴とする請求項１乃至４のいずれか１項に記載の便器。
【請求項６】  トイレ室（６）に配置され、その下方にある堆肥化容器（１）に連結されることが意図された便器であって、該容器には該容器から導出される換気ダクト（９）が設けられる便器において、ドラム（１４）は、ドラムと支持体との間に空間（１５）が形成されるように周囲の支持体（１３）内に配置されることと、前記空間またはその内部に配置されたダクトは、堆肥化容器（１）の空間に連結されることと、換気開口部（１８）が、該換気開口部（１８）、前記空間（１５）および／またはドラム（１４）、堆肥化容器（１）および換気ダクト（９）を介してトイレ室（６）が堆肥化容器（１）と同時に換気されるように、便器の支持体の外壁（１３）および／または蓋部（１２）に配置されていることとを特徴とする請求項１乃至５のいずれか１項に記載の便器。
【請求項７】  前記ドラム（１４）内に開放可能な弁装置（２０）またはウォータトラップを有する節水型水洗トイレの形で製作される便器であって、ドラム内の前記弁装置またはウォータトラップ（１４）の上方に形成された空間の換気を、前記空間（１５）を介してトイレ室（６）の換気と同時に行わせるために、ドラムの上部に換気開口部（２１
）が設けられていることを特徴とする請求項６に記載の便器。
【請求項８】  ドラム（１４）が、周囲の本質的に管状の支持体（１３）内に配置されていることと、ドラムと支持体との間に形成されたスロット状空間（１５）が、ドラムと支持体とを互いに連結してサンドイッチ構造として知られる構造を形成する接着材料（２７）で充填されていることとを特徴とする請求項１乃至７のいずれか１項に記載の便器。
【請求項９】  接着材料（２７）が発泡プラスチックタイプのものであることと、少なくともドラム（１４）がステンレス鋼から成ることとを特徴とする請求項８に記載の便器。
【請求項１０】  換気ダクトが発泡プラスチック材料（２７）内に配置されていることと、外側の支持体（１３）がステンレス鋼またはプラスチックから成ることとを特徴とする請求項９に記載の便器。
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】  外シェルと、
外シェル上にアンダーカット面を備えるロック装置、及び、外シェルの背後で屈曲変形と係合する弾性先端を備えるとともにプロステーシスの開いた側に向かって軸受挿入物から斜め外方に突出するロックリップ、によって外シェルに保持された軸受挿入物と、
を備える寛骨臼プロステーシスであって、
アンダーカット面とプロステーシスの中心軸とがなす角度（α）が、アンダーカット面との接触点でのリップの先端の変形線の接線とプロステーシスの中心軸とがなす角度（β）よりも小さく、
リップの先端は、軸受挿入物が外シェルに十分に挿入されたときに、アンダーカット面に対して自己ロック的にもたれかかっていることを特徴とする寛骨臼プロステーシス。
【請求項２】  前記アンダーカット面が溝を備えることを特徴とする、請求項１記載の寛骨臼プロステーシス。
【請求項３】  軸受挿入物がロックリップの先端に抗するアンダーカット面の反作用力によって押圧される制限停止部材をさらに備えることを特徴とする、請求項１記載の寛骨臼プロステーシス。
【請求項４】  前記なす角度（α）が、１５度乃至４０度であることを特徴とする、請求項１記載の寛骨臼プロステーシス。
【請求項５】  前記なす角度（α）が、２０度乃至３０度であることを特徴とする、請求項１記載の寛骨臼プロステーシス。
【請求項６】  前記なす角度（α）となす角（β）との差が、３０度よりも大きくないことを特徴とする、請求項４記載の寛骨臼プロステーシス。
【請求項７】  前記なす角度（α）となす角（β）との差が、約２０度であることを特徴とする、請求項４記載の寛骨臼プロステーシス。
【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】ｓｍＣ* 相の液晶層に対する法線ｚが明確に規定された方向を有するモノドメインの形態で液晶層を含有する、単安定強誘電性アクティブマトリックスディスプレイであって、前記液晶層に対する法線ｚとネマティックまたはコレステリック相（Ｎ* 相）の優先方向ｎとが、５゜よりも大きい角度を形成している、前記アクティブマトリックスディスプレイ。
【請求項２】ｓｍＣ* 相の液晶層に対する法線ｚとネマティックまたはコレステリック相（Ｎ* 相）の優先方向ｎとが、ｓｍＣ* チルト角の０．５倍〜１．０倍の範囲にある、請求項１に記載のアクティブマトリックスディスプレイ。
【請求項３】強誘電性液晶層が、
Ｉ* −Ｎ* −ｓｍＣ* 
で表される相配列を有し、ここで、Ｎ* 相とｓｍＣ* 相との間に、最大で２℃の存在範囲を有するｓｍＡ* 相があってもよい、請求項１または２に記載のアクティブマトリックスディスプレイ。
【請求項４】強誘電性液晶相の自発分極値が、１５ｎＣ／ｃｍ2 よりも小さい、請求項１〜３のいずれかに記載のアクティブマトリックスディスプレイ。
【請求項５】液晶層において、そのカイラル−ネマティックまたはコレステリックピッチの長さが、スメクティック相への転移を超えた少なくとも２℃の温度範囲で、５０μｍよりも長い、請求項１〜４のいずれかに記載のアクティブマトリックスディスプレイ。
【請求項６】請求項１〜５のいずれかに記載のアクティブマトリックスディスプレイの製造方法であって、液晶層をアクティブマトリックスディスプレイのラビングした上方基板とラビングした下方基板との間の空隙に導入し、ここで前記上方基板および下方基板のラビング方向は本質的に平行であり、次いで液晶相がアイソトロピック相から冷却されることを包含し、少なくともＮ* →ｓｍＣ* またはＮ* →ｓｍＡ* →ｓｍＣ* 相転移の間、前記ディスプレイに電気ＤＣ電圧が印加される、前記製造方法。
【手続補正書】
【提出日】平成18年5月1日(2006.5.1)
【手続補正１】
【補正対象書類名】明細書
【補正対象項目名】発明の名称
【補正方法】変更
【補正の内容】
【発明の名称】バス配列された表示装置用の駆動装置
【手続補正２】
【補正対象書類名】明細書
【補正対象項目名】特許請求の範囲
【補正方法】変更
【補正の内容】
【特許請求の範囲】
【請求項１】  表示装置の行列アレイの形態に配列されたピクセルに関連するピクセル情報を転送する装置であって、
各々が第１の端子、第２の端子および第３の端子を有する複数の半導体スイッチと、
対応する信号を伝達するために第１の複数の端子に結合された第１のバスと、
対応する信号を伝達するための互いに分離された複数のローカル・バスと、
を含み、
所定のローカル・バスは、当該所定のローカル・バスに関連する第２の複数のバスに結合された第１のバス・セクションを有し、前記第１のバス・セクションと前記第１のバス・セクションから伸びる第２のバス・セクションとをクロスオーバさせる態様で伸びており、前記複数の半導体スイッチの前記所定のローカル・バスに関連するスイッチの第２の端子にローカル・クラスタ化バス配列の形で結合された導体を有し、前記関連するスイッチは前記行列アレイの連続的に配置された列導体にそれぞれ結合された第３の端子を有する、
前記装置。
【請求項２】  前記第１の複数の端子は、スイッチ制御信号を発生し、前記第２の複数の端子は、前記行列アレイの前記ピクセルに画像情報を記憶させるためのデマルチプレクサを形成するために前記スイッチに対する画像情報信号を発生する、請求項１記載の装置。
【請求項３】  前記関連するスイッチはスイッチの複数のサブグループを含み、所定のサブグループのスイッチは前記第１のバスの対応する導体に共通に結合されたその第１の端子を有し、その第３の端子は前記行列アレイの連続的に配置された列導体にそれぞれ結合されている、請求項１記載の装置。
【請求項４】  前記所定のローカル・バスの前記第２のバス・セクションの導体は前記所定のバスに関連する前記スイッチの近傍で、前記複数のローカル・バス中の他のローカル・バスに関連するスイッチから離れて配置されていて、ローカル・クラスタ化バス配列を得るためにバスの分離を行なう、請求項１記載の装置。
【請求項５】  前記第１のバスの導体は前記複数の半導体スイッチの各々に沿って伸びてグローバル・バス配列を形成する、請求項１記載の装置。
【請求項６】  前記半導体スイッチの各々の第３の端子は対応するデータ・ライン・ドライバの入力端子に結合されている、請求項１記載の装置。
【請求項７】  表示パネル用の信号デマルチプレクサであって、
スイッチの複数のクラスタであって、各クラスタは連続的に配列された、順番に番号が付されたスイッチ１乃至ｎを有し、各スイッチはそれぞれの入力端子、出力端子および制御端子を有し、各クラスタ中のすべてのスイッチの制御端子は共通制御端子に接続されており、それぞれの出力端子は前記表示パネル上の連続するデータ・ラインに結合されているものと、
データ・バスの複数のクラスタであって、データ・バスの各クラスタは、順番に番号が付された導体１乃至ｎを有し、データ・バスの各クラスタの順番に番号が付された導体は、前記スイッチの前記複数のクラスタの対応する順番に番号が付されたスイッチの入力端子に結合されているものと、
複数の導体を含む制御バスであって、当該制御バスがデータ・バスの前記複数のクラスタとクロスオーバするように配列されたものと、
前記制御バスの前記複数の導体のそれぞれとスイッチの前記クラスタの各共通制御端子との間の接続と、
を含む前記信号デマルチプレクサ。
【請求項８】  表示パネル用の信号デマルチプレクサであって、
スイッチの複数のクラスタであって、所定のクラスタは連続的に配列された順番に番号が付されたスイッチを有し、各スイッチはそれぞれ入力端子、出力端子および制御端子を有し、前記出力端子は前記表示パネル上の連続するデータ・ラインに結合されているものと、
データ・バスのクラスタであって、その所定のデータ・バスは連続的に配列された、順番に番号が付された導体を有し、前記所定のデータ・バスの所定の導体は当該所定の導体の序数に対応する同じ序数を有する各スイッチの入力端子に共通に結合されており、また前記所定のバスに関連する前記スイッチの各クラスタ中に含まれているものと、
複数の導体を含む制御バスであって、この制御バスがデータ・バスの前記クラスタとクロスオーバするように配列されたものと、
前記制御バスの前記複数の導体のそれぞれとスイッチの前記クラスタの各共通制御端子との間の接続と、
を含む前記信号デマルチプレクサ。
【請求項９】  スイッチの各クラスタにおけるすべてのスイッチの制御端子は前記制御バスの対応する導体に共通に接続されている、請求項８記載の信号デマルチプレクサ。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】
端部開口（７９）を有する円筒状セルハウジング（７０）と、このハウジング（７０）の開口を閉鎖するためにハウジング内に挿入されたエンドキャップアセンブリ（１０）と、を有するアルカリ電気化学セルであって、前記エンドキャップアセンブリ（１０）は、エンドキャップ（２００）と、破裂可能膜（１５２）をその中に有する電気絶縁シールディスク（１５０）と、を有し、前記絶縁シールディスク（１５０）はその中に挿通される細長い電気絶縁カレントコレクタ（８０）を有し、このカレントコレクタ（８０）は前記エンドキャップ（２００）に電気的に接続され、前記絶縁シールディスク（１５０）は前記ハウジング（７０）の開口端部（７９）をシールすると共に前記カレントコレクタ（８０）と前記ハウジング（７０）との間を電気的に絶縁し、前記ハウジング（７０）のエッジは前記絶縁シールディスク（１５０）の外周エッジ（１５５）の上で襞が作られて襞の線に沿ってセル肩部を形成するようにしたアルカリ電気化学セルにおいて、
前記エンドキャップアッセンブリ（１０）は、エンドキャップ（２００）と、このエンドキャップ（２００）の基礎にある絶縁シールディスク（１５０）と、この絶縁シールディスク（１５０）の開口（９０）を貫通する細長いカレントコレクタ（８０）と、を備えると共に、前記絶縁シールディスク（１５０）の少なくとも一部分は前記セルハウジング（７０）内にあり、前記エンドキャップ（２００）は前記ハウジング（７０）の全く外部に配置され、前記エンドキャップ（２００）はセル端子として機能するものであって、前記エンドキャップアセンブリ（１０）は、前記絶縁シールディスク（１５０）および前記エンドキャップ（２００）の間に配置された絶縁ワッシャ（１３０）をさらに備え、前記エンドキャップ（２００）および前記絶縁ワッシャ（１３０）は、前記セルを前記エンドキャップアセンブリ（１０）の上端から縦方向に眺めたときに、前記ハウジング（７０）の開口端部側で前記ハウジングの外周縁（７２）上に重ね合わせられ、前記絶縁ワッシャ（１３０）は前記セルハウジング（７０）から前記エンドキャップ（２００）を電気的に絶縁しており、前記円筒状のセルハウジングはＡＡＡサイズのセルハウジング（７０）の直径よりも小さい直径を有し、かつ、前記エンドキャップアセンブリ（１０）は前記ハウジング（７０）の開口端部（７９）側の何れの部分にも金属ディスクを含んでいないことを特徴とする電気化学セル。
【請求項２】
前記絶縁シールディスク（１５０）は前記カレントコレクタ（８０）を挿入するための透孔（９０）を有する一体化された中心ボス（１５１）を備え、このボス（１５１）の中間部分の領域（１５４）はこのボス（１５１）より放射状に延長されて、このボスの周縁（１５５）は前記ハウジング（７０）の開口（７９）側の内表面に接触する外表面を有していることを特徴とする請求項１に記載の電気化学セル。
【請求項３】
前記絶縁シールディスク（１５０）は前記中間部分（１５４）の領域内に配置された一体化された破裂可能膜部を備え、前記破裂可能膜（１５２）は、以下の特徴：
（ａ）前記膜（１５２）は、セル内のガス圧が所定のレベルに達したときに破裂する；
（ｂ）前記破裂可能膜部は、前記中間部分（１５４）の範囲内に島を形成する；
（ｃ）前記破裂可能膜（１５２）は、円形または楕円形の構造を有している；または
（ｄ）前記破裂可能膜（１５２）は、多角形構造を有している
ことの何れか１つを有することを特徴とする請求項２に記載の電気化学セル。
【請求項４】
前記エンドキャップアセンブリ（１０）は、前記絶縁シールディスク（１５０）の周縁（１５５）と前記ハウジング（７０）との間のビチューメン（bitumen―瀝青／天然炭化水素混合物／アスファルト―）を含む封止剤材料を備えることを特徴とする請求項１ないし３の何れかに記載の電気化学セル。
【請求項５】
前記ハウジング（７０）は、その表面に円周状の刻み目（７５）を有し、前記絶縁シールディスク（１５０）の外周縁（１５５）の一部は前記刻み目（７５）上に置かれていることを特徴とする請求項１ないし４の何れかに記載の電気化学セル。
【請求項６】  
前記絶縁シールディスク（１５０）は一体化された脚部（１５７）を有し、この一体化された脚部は、前記セルを前記エンドキャップアセンブリの上端から縦方向に眺めたときに前記刻み目の下側でかつ前記絶縁シールディスクの外周縁から下方へ延長する円周状の裾部を形成し、前記絶縁シールディスクは、前記刻み目の周りで緊密な適合部（snap fit）を形成していないことを特徴とする請求項１ないし５の何れかに記載の電気化学セル。
【請求項７】
前記刻み目（７５）の下側の前記円周状の裾部（１５７ａ）の外側の最大直径は、前記円周上の刻み目（７５）と同じ平面における前記セルの内側の直径よりも小さいことを特徴とする請求項６に記載の電気化学セル。
【請求項８】
前記ハウジング（７０）の一部分は、その開口端部（７９）側で、前記絶縁シールディスク（１５０）の外周縁（１５５）に対して半径方向に圧縮されていることを特徴とする請求項１ないし７の何れかに記載の電気化学セル。
【請求項９】
前記エンドキャップ（２００）は、平坦な中央部分（２０５）と、前記セルを前記エンドキャップ（２００）の上端から縦方向に眺めたときに前記中央部分より延長する下方段部のある外周縁（２３０９と、を備えるディスクであることを特徴とする請求項１ないし８の何れかに記載の電気化学セル。
【請求項１０】
前記カレントコレクタ（８０）の一端部は、前記エンドキャップ（２００）の前記平坦な中央部分（２０５）に溶接されている、および／または、前記絶縁ワッシャ（１３０）は、前記ハウジング（７０）と前記エンドキャップ（２００）の前記段部のある外周縁と間の接続を阻止している、ことを特徴とする請求項９に記載の電気化学セル。
【請求項１１】
前記絶縁ワッシャ（１３０）は、紙よりなる、および／または、前記絶縁シールディスク（１５０）は、ナイロン６６またはナイロン６１２を含むことを特徴とする請求項１ないし１０の何れかに記載の電気化学セル。
【請求項１２】
前記円筒状セルハウジング（７０）は、ＡＡＡＡ（ＬＲ６１）サイズであることを特徴とする請求項１ないし１１の何れかに記載の電気化学セル。
【請求項１３】
前記ＡＡＡＡ（ＬＲ６１）セルハウジングは、約７．７から８．３ミリメートルの間の外側直径を有し、前記絶縁シールディスク（１５０）は、全体として約３から５ミリメートルの厚さと、約７．６から８．２ミリメートルの直径を有し、前記絶縁シールディスク（１５０）内に設けられた前記破裂可能膜（１５２）は、約０．０３から０．２ミリメートルの厚さを有していることを特徴とする請求項１２に記載の電気化学セル。
【手続補正書】
【提出日】平成18年1月30日(2006.1.30)
【手続補正１】
【補正対象書類名】明細書
【補正対象項目名】特許請求の範囲
【補正方法】変更
【補正の内容】
【特許請求の範囲】
【請求項１】  実質的に円筒状のフォーマー；再充電可能な水素燃料源；及び複数の燃料電池素子を備え、前記フォーマーは、一連の相互接続モジュールを備え、各前記フォーマー・モジュールは、燃料電池素子への燃料の移送を許容すべく孔を貫通され、各前記燃料電池素子は、フォーマーの外方向に放射状に配置され、各前記素子は、燃料ガスを受け取りかつ指向するように構成された、チャネルと、陽極電流コレクタと、ガスケットと、第１の拡散バッキング・レイヤと、膜電極アセンブリと、第２の拡散バッキング・レイヤと、陰極電流コレクタとを備え、前記陰極電流コレクタは、インタリーブするために設計された各終端に孔を貫通されたエリアとタブとを備え、前記陰極電流コレクタは、各燃料電池素子内で良好な電気接触が維持されるように、燃料電池素子に対して均等圧縮を供給し、前記燃料電池素子は、対応する陽極及び陰極電流コレクタを介して直列に電気的に接続され、前記フォーマーの各終端における前記燃料電池素子は、装置への接続のために蓋がされ、前記フォーマー及び電流コレクタは、実質的に同じ熱膨張係数を有し、前記燃料源は、前記燃料電池素子に結合されることを特徴とする多重素子燃料電池システム。
【請求項２】  前記フォーマーは、前記陽極電流コレクタとして動作することを特徴とする請求項１に記載の多重素子燃料電池システム。
【請求項３】  前記システムは、動作中の膜電極アセンブリからの水の損失のレートが最適化されるような、多孔質、疎水性の外側レイヤを更に備えることを特徴とする請求項１または２に記載の多重素子燃料電池システム。
【請求項４】  前記外側レイヤは、貫孔セルロース・ラッピング、発泡ポリスチレン又はポリイミド・フォームの一つから選択されることを特徴とする請求項３に記載の多重素子燃料電池システム。
【請求項５】  前記水素燃料源は、水素格納装置又は水素発生装置の一つを備えていることを特徴とする請求項１から４のいずれか一項に記載の多重素子燃料電池システム。
【請求項６】  前記水素燃料源は、２重量％Ｈ2までの金属水素化物、一次水素化物、圧縮水素又はカーボン・ナノファイバに格納された水素を備えていることを特徴とする請求項１から５のいずれか一項に記載の多重素子燃料電池システム。
【請求項７】  前記水素燃料源は、置換可能なカートリッジに供給されることを特徴とする請求項１から６のいずれか一項に記載の多重素子燃料電池システム。
【請求項８】  前記膜電極アセンブリは、炭素支持部に蒸着された白金の触媒を備えていることを特徴とする請求項１から７のいずれか一項に記載の多重素子燃料電池システム。
【請求項９】  前記触媒は、ｃｍ2当たり０．２から１．０ｍｇの白金を備えていることを特徴とする請求項８に記載の多重素子燃料電池システム。
【請求項１０】  前記陰極電流コレクタ及び前記フォーマーは、ステンレス鋼を備えていることを特徴とする請求項１から９のいずれか一項に記載の多重素子燃料電池システム。
【請求項１１】  前記陰極電流コレクタのタブは、点溶接によって所定の位置に固定されることを特徴とする請求項１から１０のいずれか一項に記載の多重素子燃料電池システム。
【請求項１２】  ファイン・ワイヤ・メッシュが前記陰極電流コレクタの内面と接触して設けられていることを特徴とする請求項１から１１のいずれか一項に記載の多重素子燃料電池システム。
【請求項１３】  不浸透性外面シェルと、前記外面シェルの下の前記燃料電池素子への空気流を確保する手段とを更に備えていることを特徴とする請求項１から１２のいずれか一項に記載の多重素子燃料電池システム。
【請求項１４】  スタックを形成すべく、陰極電流コレクタ、第１の拡散バッキング・レイヤ、膜電極アセンブリ、及び第２の拡散バッキング・レイヤを配置する段階と；前記陰極電流コレクタは、各終端にタブを有する孔を貫通されたエリアを備え、
フォーマーの回りに前記スタックを巻き付ける段階と；
前記陰極電流コレクタ・タブをインタリーブする段階と；
前記スタックと前記フォーマーとの間の良好な接触を確保すべく前記陰極電流コレクタに所定の圧力を供給する段階と；
燃料電池素子を形成すべく所定の位置に前記陰極電流コレクタを固定する段階と；
燃料電池を形成すべく複数の燃料電池素子を互いに接続する段階とを具備することを特徴とする多重素子燃料電池システムを製造する方法。
【請求項１５】  前記陰極電流コレクタの前記タブを点溶接によって所定の位置に固定することを特徴とする請求項１４に記載の方法。
【請求項１６】  前記陰極電流コレクタをフォトファブリケーションによって形成することを特徴とする請求項１４または１５に記載の方法。
【請求項１７】  装置への接続のために燃料電池の終端に蓋をする段階と、燃料源に前記燃料電池を結合する段階とを更に具備することを特徴とする請求項１４から１６のいずれか一項に記載の方法。
【請求項１８】  前記システムからの水の損失のレートが最適化されるような、多孔質の疎水性レイヤを前記陰極電流コレクタにわたり供給する段階を更に具備することを特徴とする請求項１４から１７のいずれか一項に記載の方法。
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
吻合コネクタシステムであって、該システムは、フィッティングを備え、該フィッティングは、以下：
移植片への装着のために適合された基部、
該基部から伸長しており、そして、宿主血管への導入のために適合された、リーディングセグメント、
該基部から伸長している後部セグメント、および
該基部と結合しており、かつ、少なくとも１つねじれ部材を備える、ヒンジ領域、
を備え、
ここで、該少なくとも１つのねじれ部材によって、後部セグメントは、該基部に対して該ヒンジ領域の周りでねじれて偏向可能であり、その結果、該フィッティングは、、宿主血管中へと進入され得、そして実質的に偏向していない位置に戻る際に、該後部セグメントが、該宿主血管からの該フィッティングの収縮を防止し、そして該基部は、該移植片の遠位末端と、吻合の形成の際に該フィッティングに隣接する該宿主血管の一部との間で、約２０°と約７０°との間の角度を設定する、
吻合コネクタシステム。
【請求項２】
前記基部が、サイズを減少して圧縮されるように適合されている、請求項１に記載のシステム。
【請求項３】
前記後部セグメントが、前記リーディングセグメントに向かって偏向可能である、請求項１に記載のシステム。
【請求項４】
前記後部セグメントが、前記リーディングセグメントに向かって偏向可能である、請求項１または２に記載のシステム。
【請求項５】
前記フィッティングが、ワイヤ形態を備える、請求項１、２、３、または４に記載のシステム。
【請求項６】
前記ワイヤ形態が、複数の相互連絡連結部である、請求項５に記載のシステム。
【請求項７】
前記フィッティングが、該フィッティングに対して移植片を固定するように適合された少なくとも１つのタブを備える、請求項１〜６のいずれかに記載のシステム。
【請求項８】
前記フィッティングが、該フィッティングとカラーとの間に位置づけられた移植片の周りに該カラーを固定するように適合された少なくとも１つのタブをさらに備える、請求項１〜７に記載のシステム。
【請求項９】
前記フィッティングに装着するために適合されたカラーをさらに備える、請求項１〜８のいずれかに記載のシステム。
【請求項１０】
請求項１〜９のいずれかに記載のシステムであって、ここで、前記フィッティングが、ステンレス鋼、チタン、およびチタン合金からなる群より選択される生体適合性金属を含む、システム。
【請求項１１】
超弾性効果によって、前記後部セグメントが、その実質的に偏向していない位置に戻る、請求項１〜１０のいずれかに記載のシステム。
【請求項１２】
熱弾性効果または形態記憶効果によって、前記後部セグメントが、その実質的に偏向していない位置に戻る、請求項１〜１１のいずれかに記載のシステム。
【請求項１３】
前記ヒンジ領域が、一対のねじれ部材を備え、ここで、該ねじれ部材が該後部セグメントと前記基部との間に、位置づけられる、請求項１〜１２のいずれかに記載のシステム。
【請求項１４】
請求項１〜１３のいずれかに記載のシステムであって、ここで、前記フィティングが、長さ方向の寸法を有し、かつ、前記後部セグメントに対して前記リーディングセグメントから伸長しており、かつ、該長さ方向を横切る幅方向の寸法を有しており、ここで、該長さ方向の寸法は、該幅方向の寸法よりも長い、システム。
【手続補正書】
【提出日】平成17年7月1日(2005.7.1)
【手続補正１】
【補正対象書類名】特許請求の範囲
【補正対象項目名】全文
【補正方法】変更
【補正の内容】
【特許請求の範囲】
【請求項１】
２次元表示手段を用いて３次元（３Ｄ）オブジェクトの処理画像を表示し、表示された３Ｄオブジェクトのサーフェイスとインタラクトするための画像処理方法であって、
前記３Ｄオブジェクトの前記サーフェイスの少なくとも２つの組合わせにされるビューを構成し且つ表示する段階を有し、
前記少なくとも２つの組合わせにされるビューは、局所的なインタラクションが行われる前記３Ｄオブジェクトの前記サーフェイスのグローバル３Ｄビューと関連のローカル２Ｄビューとを有する方法。
【請求項２】
前記２つのビューのうちの１つのビューにおける前記３Ｄオブジェクトのサーフェイス上をインタラクティブに検索する段階と、
前記ビューにおけるデータを処理して、もう１つの組合わせにされるビューにおける対応するデータを自動更新する段階とを更に有する請求項１記載の方法。
【請求項３】
前記２つの組合わせにされるビューの静的表示のために、
前記３Ｄビューにおいて焦点と称する開始点を選択する段階と、
前記焦点の周りの領域を画成する段階と、
前記領域を前記２Ｄビューに自動的に投影する段階とを有する請求項２記載の方法。
【請求項４】
前記２つの組合わせにされるビューは更に、対応するランドマークを形成する方向付け手段を有する請求項３記載の方法。
【請求項５】
第１のランドマークを形成するよう方向軸が前記３Ｄビュー上に重ねられ、対応する第２のランドマークを形成するよう対応する方向軸が前記２Ｄビュー上に重ねられ、
異なる軸は、異なる色が付けられ、
対応する軸は、前記２つのビューの夫々において前記対応する軸を認識することができるよう同じ色が付けられる請求項４記載の方法。
【請求項６】
前記組合わせにされるビューの更なる動的表示のために、
前記３Ｄオブジェクトのサーフェイス上をインタラクティブに検索する段階を有し、
前記段階は、前記２Ｄビューにおいて新しい場所に前記焦点をスライドし、それにより、前記３Ｄビューにおいて新しい焦点を自動更新し、前記新しい焦点の周りの新しい領域を画成し、前記２Ｄビューに前記領域を自動的に投影するサブ段階と、前記２Ｄビューの前記新しい領域におけるデータを処理し、それにより、前記組合わせにされる３Ｄビューにおける対応するデータを自動的及び同時に更新するサブ段階とを有する請求項３乃至５のうちいずれか一項記載の方法。
【請求項７】
両方のビューが同時に更新されることにより、前記焦点及び前記ランドマークは、両方のビューの中心に常に設定される請求項３乃至６のうちいずれか一項記載の方法。
【請求項８】
異なる軸に対して異なる色、及び、異なる領域に対して異なる色といったように前記３Ｄビューにおける異なる要素に対して異なる色が付けられ、前記２Ｄビューにおける対応する要素に対して対応する色が付けられ、
前記異なる色は、両方のビューにおいて、同時且つ自動的に更新される請求項３乃至７のうちいずれか一項記載の方法。
【請求項９】
関心の前記３Ｄオブジェクトは、メッシュモデル技術を用いてセグメント化される請求項１乃至８のうちいずれか一項記載の方法。
【請求項１０】
臓器を表す３Ｄ医療画像におけるデータを処理するために、
医療情報が、前記３Ｄメッシュモデル上に写像され、
前記医療情報は、前記２Ｄサーフェイスビューに取り込まれ、
医療情報には、画像テクスチャ、カラー符号化、又は、臓器に関連する潅流、動作、変形といった任意の他の視覚的な手段といった視覚的な医療指示がある請求項９記載の方法。
【請求項１１】
設計が、前記２Ｄサーフェイスビュー上で行われ、前記３Ｄビューにおいて自動的且つ同時に更新され、
前記設計には、特定の臓器の一部をマークするために描かれる線、臓器の一部を画成する輪郭、臓器又は臓器の一部を強調するための特定の設計がある請求項１０記載の方法。
【請求項１２】
検索段階の間に、バーチャルマウスパッドと称する前記２Ｄモデル上をスライドすることにより３Ｄサーフェイスモデルとの連続的なインタラクションが行われ、
インタラクションには、領域選択、前記サーフェイスモデルの任意の部分に曲線を描くこと、モデルの一部を切り出すこと、複雑なサーフェイス上の領域を区分すること、曲線のある輪郭の測定があり、テクスチャが利用可能であり前記モデルに写像される場合には、インタラクションには、前記写像されるテクスチャに対し、エッジ検出、特徴抽出、及び／又は、ガイドワイヤの動作を追跡する及び／又はステントを検出するといった医療測定がある、請求項１０又は１１記載の方法。
【請求項１３】
臓器の前記モデルは、心臓学における心室のモデル、背骨における脊椎のモデル、動脈学及び静脈学における血管である請求項１０乃至１２のうちいずれか一項記載の方法。
【請求項１４】
請求項１乃至１３のうちいずれか一項記載の方法に従って画像データを処理するよう構成される好適にプログラムされたコンピュータ、又は、回路手段を有する特殊用途プロセッサを有するシステム。
【請求項１５】
人体の臓器の３次元画像を獲得する手段と、
組合わせにされる３Ｄビューと２Ｄビューを表示する表示手段と、
前記２Ｄビュー及び前記３Ｄビューに作用するインタフェース手段と、
請求項１乃至１３のうちいずれか一項記載の方法を実行する処理手段と、を有する医療診断撮像装置。
【請求項１６】
請求項１乃至１３のうちいずれか一項記載の方法を実行するための命令のセットを有するコンピュータプログラム。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
生体組織を締め付けて圧潰するための締付デバイス（７０）であって、
埋設可能な長尺スリーブを具備し、
このスリーブが、内面と両開口端（７６，７８）とを有しているとともに、膨張状態でもって延出配置することができ、さらに、前記生体組織を締め付けて圧潰することができ、その上、前記膨張状態が解除されたときには前記生体組織に関連して留まることができるよう、膨張可能な材料から形成され、
さらに、前記スリーブの前記内面上に、複数の固定部材（１０８）を具備し、
これら固定部材が、前記スリーブが前記膨張状態から解除されたときには前記生体組織を把持するものとされていることを特徴とする締付デバイス。
【請求項２】
請求項１記載の締付デバイスにおいて、
前記固定部材（１０８）が、放射線不透過材料（７１）を備えていることを特徴とする締付デバイス。
【請求項３】
請求項１記載の締付デバイスにおいて、
前記固定部材（１０８）が、外部からの撮影手法によって可視である材料から形成されていることを特徴とする締付デバイス。
【請求項４】
請求項１〜３のいずれか１項に記載の締付デバイスにおいて、
前記固定部材（１０８）が、前記両開口端（７６，７８）の一方に対して隣接したところに配置されていることを特徴とする締付デバイス。
【請求項５】
請求項１〜４のいずれか１項に記載の締付デバイスにおいて、
前記固定部材（１０８）が、互いに隣り合って配置されており、前記スリーブが前記膨張状態から解除されたときには、それら固定部材（１０８）どうしの間に、前記生体組織を挟み込み得るようになっていることを特徴とする締付デバイス。
【請求項６】
請求項１〜５のいずれか１項に記載の締付デバイスにおいて、
前記固定部材（１０８）が、棘（１１９）を有していることを特徴とする締付デバイス。
【請求項７】
請求項１〜６のいずれか１項に記載の締付デバイスにおいて、
前記スリーブが、さらに、前記両開口端（７６，７８）の間にわたって延在する長手方向側壁（９６）を備え、
前記固定部材（１０８）が、前記長手方向側壁（９６）に対して一体的とされていることを特徴とする締付デバイス。
【請求項８】
請求項１〜７のいずれか１項に記載の締付デバイスにおいて、
前記固定部材（１０８）が、前記スリーブの前記内面に対して取り付けられていることを特徴とする締付デバイス。
【請求項９】
請求項１〜８のいずれか１項に記載の締付デバイスにおいて、
前記固定部材（１０８）が、前記生体組織に対して係合する内面（１２７）を有し、
前記固定部材（１０８）の前記内面が、凹凸状表面とされていることを特徴とする締付デバイス。
【請求項１０】
請求項１〜９のいずれか１項に記載の締付デバイスにおいて、
前記スリーブが、前記両開口端（７６，７８）の間にわたって長手方向寸法を備え、
前記固定部材（１０８）の各々に関し、前記スリーブの前記長手方向寸法に沿った寸法が、前記スリーブの周縁方向寸法に沿った寸法よりも、より大きなものとされていることを特徴とする締付デバイス。
【請求項１１】
請求項１〜１０のいずれか１項に記載の締付デバイスにおいて、
さらに、前記スリーブの前記内面上に、周縁圧縮バンド（１５６）を具備し、
この周縁圧縮バンドが、前記両開口端（７６，７８）のうちの一方の開口端と、前記複数の固定部材（１０８）と、の間に配置されていることを特徴とする締付デバイス。
【請求項１２】
請求項１〜１１のいずれか１項に記載の締付デバイスにおいて、
前記複数の固定部材（１０８）が、前記スリーブの前記内面を取り囲みつつ複数の列をなして配置されていることを特徴とする締付デバイス。
【手続補正書】
【提出日】平成17年7月8日(2005.7.8)
【手続補正１】
【補正対象書類名】特許請求の範囲
【補正対象項目名】全文
【補正方法】変更
【補正の内容】
【特許請求の範囲】
【請求項１】
生体器官における流通を阻止し得るよう締付を行う締付デバイスであって、
弾性的でありかつ長尺でありかつ中空とされたスリーブ（７０）を具備し、
このスリーブが、両開口端（７６，７８）を有しているとともに、生体器官の一部に対して適用され得る膨張状態をなすことができさらに前記生体器官の前記一部に対して適用された後には非膨張状態へと弾性復帰することができるよう膨張可能とされ、これにより、前記生体器官の前記一部を圧潰して、前記生体器官の前記一部を通しての空気流通を実質的に阻止し得るものとされ、
前記デバイスの少なくとも一部が、外部からの撮影技術によって可視であることを特徴とする締付デバイス。
【請求項２】
請求項１記載の締付デバイスにおいて、
前記外部からの撮影技術が、Ｘ線透過法であることを特徴とする締付デバイス。
【請求項３】
請求項１または２記載の締付デバイスにおいて、
さらに、前記両開口端の中間において分離可能であるように構成され、これにより、内部に収容した前記生体器官の前記一部を切除し得るようになっていることを特徴とする締付デバイス。
【請求項４】
請求項１〜３のいずれか１項に記載の締付デバイスにおいて、
さらに、前記スリーブに付設された放射線不透明材料（７１）を具備していることを特徴とする締付デバイス。
【請求項５】
請求項４記載の締付デバイスにおいて、
前記放射線不透明材料（７１）が、前記スリーブ内に埋設されていることを特徴とする締付デバイス。
【請求項６】
請求項５記載の締付デバイスにおいて、
前記放射線不透明材料（７１）が、Ｘ線吸収性材料からなる球（１４８）を備えていることを特徴とする締付デバイス。
【請求項７】
請求項６記載の締付デバイスにおいて、
前記球（１４８）が、前記スリーブの内方へと内向きに突出していることを特徴とする締付デバイス。
【請求項８】
請求項１〜５のいずれか１項に記載の締付デバイスにおいて、
前記放射線不透明材料（７１）が、Ｘ線吸収性材料からなるストリップ（９８）を備えていることを特徴とする締付デバイス。
【請求項９】
請求項１〜８のいずれか１項に記載の締付デバイスにおいて、
前記スリーブが、肺の一部に対して適用され得るようなサイズでもって構成されていることを特徴とする締付デバイス。
【請求項１０】
請求項１〜８のいずれか１項に記載の締付デバイスにおいて、
さらに、前記デバイスと前記生体器官の前記一部との間の係合強度を増大させ得るよう構成された内向き突出部（１３８）を備えていることを特徴とする締付デバイス。
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
ゼオライト中にイオン交換されたものでもなく水不溶性の無機リン酸塩中に結合したものでもない銀陽イオンを含有する吸水性・水不溶性重合体。
【請求項２】
重合体が粒子状であり、１つまたはそれ以上のエチレン性不飽和カルボキシル基を含有する単量体から誘導されることを特徴とする請求項１に記載の重合体。
【請求項３】
重合体が１つまたはそれ以上のエチレン性不飽和カルボキシル基を含有する単量体および該カルボキシル基を含有する単量体と共重合し得る１つまたはそれ以上の共単量体から誘導されることを特徴とする請求項２に記載の重合体。
【請求項４】
該カルボキシル基を含有する単量体がエチレン性不飽和カルボン酸、エチレン性不飽和カルボン酸無水物、不飽和カルボン酸塩およびそれらの混合物からなる群から選ばれることを特徴とする請求項２に記載の重合体。
【請求項５】
該カルボキシル基を含有する単量体がエチレン性不飽和カルボン酸、エチレン性不飽和カルボン酸無水物、不飽和カルボン酸塩およびそれらの混合物からなる群から選ばれ、共単量体がアクリルアミド、ビニルピロリドン、ビニルスルホン酸またはその塩、アクリロニトリル、セルロース単量体、改質セルロース単量体、ポリビニルアルコール単量体およびデンプン加水分解物単量体からなる群から選ばれることを特徴とする請求項３に記載の重合体。
【請求項６】
銀陽イオンの量が、乾燥重合体の質量を基準にして、１〜１０，０００ｐｐｍであることを特徴とする請求項２または３に記載の重合体。
【請求項７】
（Ｉ）（ａ）１つまたはそれ以上のエチレン性不飽和カルボキシル基を含有する単量体、（ｂ）１つまたはそれ以上の架橋剤、および（ｄ）重合媒体からなる重合反応混合物を重合し、架橋ヒドロゲルを形成する工程、（ＩＩ）該ヒドロゲルを粉砕し、粒子にする工程、および（ＩＩＩ）該ヒドロゲルを乾燥する工程からなる吸水性・水不溶性重合体の製造方法であって、（ｉ）重合の開始前の単量体混合物に、もしくは重合中の反応混合物に、（ｉｉ）工程（ＩＩ）の粉砕前もしくは粉砕後の架橋ヒドロゲルに、または（ｉｉｉ）工程（ＩＩＩ）後の乾燥重合体粒子に、銀塩溶液を添加することを特徴とする方法。
【請求項８】
重合反応混合物がさらに（ｃ）該カルボキシル基を含有する単量体と共重合し得る１つまたはそれ以上の共単量体を含むことを特徴とする請求項７に記載の方法。
【請求項９】
銀塩溶液を工程（ＩＩＩ）後の乾燥重合体粒子に添加することを特徴とする請求項７または８に記載の方法。
【請求項１０】
銀塩が硝酸銀、酢酸銀、安息香酸銀、臭素酸銀、塩素酸銀、乳酸銀、モリブデン酸銀、亜硝酸銀、酸化銀（Ｉ）、過塩素酸銀、過マンガン酸銀、セレン酸銀、亜セレン酸銀、スルファジアジン銀、硫酸銀およびそれらの混合物からなる群から選ばれることを特徴とする請求項７または８に記載の方法。
【請求項１１】
乾燥重合体の質量を基準にして１〜１０，０００ｐｐｍの銀陽イオンを供給する量の銀塩を添加することを特徴とする請求項７または８に記載の方法。
【請求項１２】
銀塩の添加の前または後に、１〜６０分間、１７０〜２５０℃の温度に工程（ＩＩＩ）からの乾燥重合体粒子を加熱する工程（ＩＶ）をさらに含む請求項７または８に記載の方法。
【請求項１３】
銀塩の溶液が水溶液であることを特徴とする請求項７または８に記載の方法。
【請求項１４】
銀塩の水溶液がさらにポリエーテルポリオールを含むことを特徴とする請求項１３に記載の方法。
【請求項１５】
銀塩溶液の添加の前に、銀塩溶液の添加と同時に、または銀塩溶液の添加の後に、工程（ＩＩＩ）からの乾燥重合体粒子を硫酸アルミニウム水溶液で処理することを特徴とする請求項９に記載の方法。
【請求項１６】
銀塩溶液の添加前にまたは銀塩溶液の添加と同時に、ヒュームドシリカを工程（ＩＩＩ）からの乾燥重合体粒子と混合することを特徴とする請求項９に記載の方法。
【請求項１７】
ヒュームドシリカが水性分散液として使用されることを特徴とする請求項１６に記載の方法。
【請求項１８】
銀塩溶液の添加の前に、その添加と同時に、またはその添加の後に、活性炭、クロロフィリン、キレート化剤、ソーダ、重炭酸ナトリウム、硫酸銅、酢酸銅、硫酸亜鉛、ケイ酸塩、ヒュームドシリカ、シリカ、粘土、シクロデキストリン、クエン酸、キトサン、イオン交換樹脂粒子、ゼオライトまたはそれらの組み合わせからなる群から選ばれた添加物を添加することをさらに含む請求項９に記載の方法。
【請求項１９】
請求項７または８に記載の方法によって製造された吸水性・水不溶性重合体。
【請求項２０】
請求項１または１９に記載の吸水性重合体と、紙、合成繊維、天然繊維またはこれらの組み合わせの織布または不織布の少なくとも１つとを含む吸収性組織体。
【請求項２１】
銀イオンと、紙、合成繊維、天然繊維またはこれらの組み合わせの織布または不織布の少なくとも１つとを含む吸収性組織体。
【請求項２２】
（Ｉ）（ａ）１つまたはそれ以上のエチレン性不飽和カルボキシル基を含有する単量体、（ｂ）１つまたはそれ以上の架橋剤、および（ｄ）重合媒体からなる重合反応混合物を重合し、架橋ヒドロゲルを形成する工程、（ＩＩ）該ヒドロゲルを粉砕し、粒子にする工程、および（ＩＩＩ）該ヒドロゲルを乾燥する工程からなる吸水性・水不溶性重合体の製造方法であって、銀陽イオンを含む重合体が形成されるように、１００〜１，０００ｐｐｍの銀塩をプロセスに添加することを特徴とする方法。
【請求項２３】
重合反応混合物がさらに（ｃ）該カルボキシル基を含有する単量体と共重合し得る１つまたはそれ以上の共単量体を含むことを特徴とする請求項２２に記載の方法。
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
クリップアプライアであって、以下：
前進機構を作動させる、ハンドルアセンブリ；
クリップ適用機構であって、長手方向軸の周りで回転可能であり、該ハンドルアセンブリに接続され、そして以下：
複数のクリップを保持するための複数の要素を有する、カートリッジ；
該カートリッジにスライド可能に係合された、並進可能な供給ロッドであって、該供給ロッドは、該複数のクリップを遠位に前進させるための、該供給ロッド上に配置された複数の要素を備える、供給ロッド；
アンビルを収容するアンビルチャネルであって、該アンビルは、第一のクリップを受容するように配置され、そして該供給ロッドに配置されたハンマーと係合するよう構成されている、アンビルチャネル；ならびに
該ハンドルアセンブリによって提供される駆動力であって、該複数のクリップを前進させ、そして該第一のクリップを適用するための、駆動力、
を備える、クリップ適用機構；
を備える、クリップアプライア。
【請求項２】
前記クリップが、適用の前に、約９０°回転される、請求項１に記載のクリップアプライア。
【請求項３】
外科用クリップを適用するためのシステムであって、以下：
中心長手方向軸を有する外科用クリップアプライア；
該中心長手方向軸に沿って、第一の位置において、該クリップを供給する手段；ならびに
第一のクリップを、該中心長手方向軸を横切って第二の位置に再配置する手段、および
；
該中心長手方向軸に沿ってハンマーを並進させ、該第一のクリップを該第二の位置において適用し、該第一のクリップを組織部分に適用する手段、
を備える、システム。
【請求項４】
前記再配置する手段が、クリップを遠位に供給する手段、およびハンドルアセンブリのレバーを第一の位置から第二の位置へと再配置する手段を備え、該再配置する手段が、前記第一のクリップの適用を作動させる、請求項３に記載の外科用クリップを適用するためのシステム。
【請求項５】
前記クリップを供給する手段が、供給ロッドを並進させることによって、クリップをある距離で前進させる手段を備える、請求項３に記載の外科用クリップを適用するためのシステム。
【請求項６】
前記供給する手段が、カートリッジを使用して、前進されたクリップを適所に保持する手段をさらに備える、請求項３に記載の外科用クリップを適用するためのシステム。